(57)【特許請求の範囲】
【請求項１】
異なる周波数の複数の受信信号をひとつのアンテナが捕らえ、前記受信信号を受信処理する通信装置であって、
第１の周波数の信号を出力する相互変調発振器と、
前記受信信号と前記第１の周波数の信号を加算する加算部と、
加算された前記受信信号と前記第１の周波数の信号から相互変調波信号を発生させる相互変調波発生手段と、
第１の局部信号を出力する第１の局部発振器と、
前記相互変調波信号へ前記第１の局部信号をミキシングすることによって第１の中間周波信号を生成する第１のミキサと、
前記第１の中間周波信号から第１の所望周波数の信号を取り出す第１のバンドパスフィルタと、
前記第１の所望周波数の信号の電圧レベル（第１の電圧レベル）を検出する第１の電圧レベル検出部と、
第２の局部信号を出力する第２の局部発振器と、
前記相互変調波信号へ前記第２の局部信号をミキシングすることによって第２の中間周波信号を生成する第２のミキサと、
前記第２の中間周波信号から第２の所望周波数の信号を取り出す第２のバンドパスフィルタと、
前記第２の所望周波数の信号の電圧レベル（第２の電圧レベル）を検出する第２の電圧レベル検出部と、
前記第１の電圧レベルまたは前記第２の電圧レベルが受信部の飽和レベルより高い場合に、前記相互変調発振器に前記第１の周波数の信号を前記加算部に出力させ、第１の電圧レベルが受信部の飽和レベルより高い場合には、前記相互変調波信号へ前記第１の局部発振器に周波数を制御させた前記第１の局部信号を前記第１のミキサにミキシングさせることによって前記第１の中間周波数信号を生成させ、第２の電圧レベルが受信部の飽和レベルより高い場合には前記相互変調波へ前記第２の局部発振器に周波数を制御させた前記第２の局部信号を前記第１のミキサにミキシングさせることによって前記第２の中間周波数信号を生成させる制御部と
を具備することを特徴とする通信装置。
【請求項２】
前記制御部は、前記相互変調発振器に前記第１の周波数の信号の電圧レベルを低減させることを特徴とする請求項１記載の通信装置。
【請求項３】
前記制御部は、第１の電圧レベルが高い場合に、前記第１の局部発振器に前記第１の局部信号の電圧レベルを低減させ、第２の電圧レベルが高い場合に、前記第２の局部発振器に前記第２の局部信号の電圧レベルを低減させることを特徴とする請求項１または２記載の通信装置。
【請求項４】
前記受信信号を減衰する可変ＡＴＴ（Attenuator）をも具備し、
前記制御部は、前記第1の電圧レベル及び前記第２の電圧レベルが受信部の飽和レベルより高い場合に、前記可変ＡＴＴの減衰量を増大させることを特徴とする請求項１〜３のいずれか一項に記載の通信装置。
【発明の詳細な説明】
【技術分野】
【０００１】
本発明は、通信装置に関する。
【背景技術】
【０００２】
下記特許文献１には、所望の信号を妨害波からの影響から防ぐことによって所望の信号を復調することが出来るマルチバンド直接変換ワイヤレス通信装置が開示されている。
このマルチバンド直接変換ワイヤレス通信装置では、１本のアンテナ端子によって複数の周波数帯の信号を受信し、この受信信号はアンテナ端子からデュプレクサ、ＬＮＡ（Low Noise Amplifier）を介して単一のバンドパスフィルタへ入力される。そして、受信信号はバンドパスフィルタからＩチャネル用ミキサ及びＱチャネル用ミキサへ差動入力され、Ｉチャネル用ミキサ及びＱチャネル用ミキサに局部発振器から入力される局部信号によってベースバンド信号へダウンコンバートされる。
【特許文献１】特開２００４−５２１５３４号公報
【発明の開示】
【発明が解決しようとする課題】
【０００３】
ところで、上記従来技術では、複数の周波数信号を受信する場合に、一本のアンテナ端子によって受信した複数の周波数帯の受信信号の電圧レベルを一律に増幅／減衰を行うことになる。そして、受信信号への電圧レベルの減衰は、高い電圧レベルの受信信号を基準に実行される為、電圧レベルの低い受信信号は雑音レベルより電圧レベルが低くなってしまうという問題があった。
そして、従来技術の上記問題を解決する為に、ＬＮＡを単一のバンドパスフィルタの代わりに並列接続された複数のバンドパスフィルタに接続し、この複数のバンドパスフィルタによってＬＮＡから入力された受信信号を複数の周波数帯に分離し、分離した受信信号に対して電圧レベルを制御するという技術が存在する。しかし、この技術にも周波数帯域の近接する受信信号を分離することができない為、近接した周波数数帯の複数の信号を個別に電圧レベルを制御することが出来ないという欠点がある。
【０００４】
本発明は、上述した事情を鑑みたものであり、周波数が近接する複数の信号へ個別に電圧レベルを減衰させる通信装置を提供することを目的とする。
【課題を解決するための手段】
【０００５】
上記目的を達成するために、本発明では、通信装置に係る第１の解決手段として、異なる周波数の複数の受信信号をひとつのアンテナが捕らえ、前記受信信号を受信処理する通信装置であって、第１の周波数の信号を出力する相互変調発振器と、前記受信信号と前記第１の周波数の信号を加算する加算部と、加算部によって加算された前記受信信号及び前記第１の周波数の信号から相互変調波信号を発生させる相互変調波発生手段と、
第１の局部信号を出力する第１の局部発振器と、前記相互変調波信号へ前記第１の局部信号をミキシングすることによって第１の中間周波信号を生成する第１のミキサと、
前記第１の中間周波信号から第１の所望周波数の信号を取り出す第１のバンドパスフィルタと、前記第１の所望周波数の信号の電圧レベル（第１の電圧レベル）を検出する第１の電圧レベル検出部と、第２の局部信号を出力する第２の局部発振器と、前記相互変調波信号へ前記第２の局部信号をミキシングすることによって第２の中間周波信号を生成する第２のミキサと、前記第２の中間周波信号から第２の所望周波数の信号を取り出す第２のバンドパスフィルタと、前記第２の所望周波数の信号の電圧レベル（第２の電圧レベル）を検出する第２の電圧レベル検出部と、前記第1の電圧レベルまたは前記第２の電圧レベルが受信部の飽和レベルより高い場合に、前記相互変調発振器に前記第１の周波数の信号を前記加算部に出力させ、第１の電圧レベルが受信部の飽和レベルより高い場合には、前記相互変調波信号へ前記第１の局部発振器に周波数を制御させた前記第１の局部信号を前記第１のミキサにミキシングさせることによって前記第１の中間周波数信号を生成させ、第２の電圧レベルが受信部の飽和レベルより高い場合に、は前記相互変調波へ前記第２の局部発振器に周波数を制御させた前記第２の局部信号を前記第１のミキサにミキシングさせることによって前記第２の中間周波数信号を生成させる制御部とを具備するという手段を採用する。
【０００６】
本発明では、通信装置に係る第２の解決手段として、上記第１の解決手段において、前記制御部は、前記相互変調発振器に前記第１の周波数の信号の電圧レベルを低減させるという手段を採用する。
【０００７】
本発明では、通信装置に係る第３の解決手段として、上記第１または第２の解決手段において、前記制御部は、第１の電圧レベルが高い場合に、前記第１の局部発振器に前記第１の局部信号の電圧レベルを低減させ、第２の電圧レベルが高い場合に、前記第２の局部発振器に前記第２の局部信号の電圧レベルを低減させるという手段を採用する。
【０００８】
本発明では、通信装置に係る第４の解決手段として、上記第１〜第３いずれかの解決手段において、前記受信信号を減衰する可変ＡＴＴ（Attenuator）をも具備し、
前記制御部は、前記第1の電圧レベル及び前記第２の電圧レベルが受信部の飽和レベルより高い場合に、前記可変ＡＴＴの減衰量を増大させるという手段を採用する。
【発明の効果】
【０００９】
本発明によれば、制御部が、第1の電圧レベルまたは第２の電圧レベルが受信部の飽和レベルより高い場合に、相互変調発振器に第１の周波数の信号を加算部に出力させ、第１の電圧レベルが受信部の飽和レベルより高い場合には、相互変調波信号へ第１の局部発振器に周波数を制御させた第１の局部信号を第１のミキサにミキシングさせることによって第１の中間周波数信号を生成させ、第２の電圧レベルが受信部の飽和レベルより高い場合には相互変調波へ第２の局部発振器に周波数を制御させた第２の局部信号を第１のミキサにミキシングさせることによって第２の中間周波数信号を生成させる。
このことにより、第１の中間周波数信号から取り出される第１の所望周波数の信号及び第２の中間周波数信号から取り出される第２の所望周波数の信号の電圧レベルは、受信信号より電圧レベルの低い相互変調波信号の電圧レベルに依存した電圧レベルとなる為、周波数が近接する信号に対して個別に電圧レベルを減衰させることが出来る。
【発明を実施するための最良の形態】
【００１０】
以下、図面を参照して、本発明の一実施形態について説明する。本実施形態は、携帯端末の１つであるＰＨＳ（Personal Handy-phone System）端末に関する。
図１は、本実施形態に係るＰＨＳ端末Ａを備える無線通信システムを示す概略構成図である。この無線通信システムは、ＰＨＳ端末Ａ及び基地局Ｂ１及びＢ２によって構成されている。
【００１１】
ＰＨＳ端末Ａは、複数のバンドの信号を共通のアンテナ端子によって受信する通信装置であって、各基地局Ｂ１及びＢ２と相互に通信する。各基地局Ｂ１及びＢ２は、所定間隔をあけて離散的に配置されており、各々に割り当てられたセルＳ１及びＳ２においてそれぞれ異なるバンドの信号によってＰＨＳ端末Ａと通信を行う。
【００１２】
この図１では、ＰＨＳ端末Ａが基地局Ｂ１のセルＳ１と基地局Ｂ２のセルＳ２とが重なり合う場所に位置している。すなわち、ＰＨＳ端末Ａは、基地局Ｂ１に対して位置登録を行い、当該基地局Ｂ１との間の通信回線の接続を確立しているが、基地局Ｂ２とも通信が可能な状態にある。
【００１３】
次に、ＰＨＳ端末Ａの機能構成を、図３を参照して説明する。図３は、本実施形態に係るＰＨＳ端末Ａの機能構成を示す機能ブロック図である。
ＰＨＳ端末Ａは、受信部１、送信部２、操作部３、表示部４及び制御部５から構成されている。また、上記受信部１は、アンテナ１ａ、第１ＢＰＦ（Band Pass Filter）１ｂ、ＬＮＡ（Low Noise Amplifier）１ｃ、可変ＡＴＴ（Attenuator）１ｄ、第２ＢＰＦ１ｅ、加算部１ｆ、相互変調発振器１ｇ、増幅器１ｈ、第１ミキサ１ｉ、第１局部発振器１ｊ、第１中間周波ＢＰＦ１ｋ、第１電圧レベル検出部１ｌ、第２ミキサ１ｍ、第２局部発振器１ｎ、第２中間周波ＢＰＦ１ｏ、第２電圧レベル検出部１ｐ及び復調処理部１ｑから構成される。また、上記送信部２は、上記アンテナ１ａ及び送信回路部２ａから構成されている。
【００１４】
アンテナ１ａは、信号の送信及び受信の共用アンテナであり、基地局Ｂ１からの第１高周波数ｆ１のＲＦ受信信号Ｆ１及び基地局Ｂ２からの第２高周波数ｆ２のＲＦ受信信号Ｆ２を含むＲＦ受信信号を第１ＢＰＦ１ｂに出力する。また、このアンテナ１ａは、送信回路部２ａから入力された送信信号を基地局Ｂ１及びＢ２に送信する。
第１ＢＰＦ１ｂは、アンテナ１ａから入力されたＲＦ受信信号から第１高周波数ｆ１及び第２高周波数ｆ２以外の周波数成分を減衰し、ＲＦ受信信号をＬＮＡ１ｃに出力する。
ＬＮＡ１ｃは、雑音指数の低い増幅器であり、第１ＢＰＦ１ｂから入力されたＲＦ受信信号を増幅し、可変ＡＴＴ１ｄに出力する。
可変ＡＴＴ１ｄは、制御部５の制御に基づいて減衰量が制御される減衰器であり、ＬＮＡ１ｃから入力されるＲＦ受信信号の電圧レベルを減衰し、このＲＦ受信信号を第２ＢＰＦ１ｅに出力する。
【００１５】
第２ＢＰＦ１ｅは、可変ＡＴＴ１ｄから入力されたＲＦ受信信号から第１高周波数ｆ１及び第２高周波数ｆ２以外の周波数成分を減衰し、このＲＦ受信信信号を加算部１ｆに出力する。
加算部１ｆは、第２ＢＰＦ１ｅはから入力されたＲＦ受信信号と、相互変調発振器１ｇから入力された周波数ｆ３の信号とを加算し、ＲＦ受信信号及び周波数ｆ３の信号を増幅器１ｈに出力する。
相互変調発振器１ｇは、増幅器１ｈにおいてＲＦ受信信号と共に相互変調波信号を発生させる周波数ｆ３の信号を生成し、加算部１ｆに出力する。なお、この相互変調発振器１ｇは、制御部の制御に基づいて周波数ｆ３の信号の電圧レベルを制御する。
増幅器１ｈは、加算部１ｆから入力されるＲＦ受信信号及び周波数ｆ３の信号から相互変調波信号を発生させると共にＲＦ受信信号、周波数ｆ３の信号及び相互変調波信号を増幅する。
【００１６】
第１ミキサ１ｉは、増幅器１ｈから入力されたＲＦ受信信号、周波数ｆ３の信号及び相互変調波信号に、第１局部発振器１ｊから入力された第１局部信号をミキシングすることで、ＲＦ受信信号、周波数ｆ３の信号及び相互変調波信号をＩＦ周波数へ周波数変換（ダウンコンバート）し、第１ＩＦ受信信号、第１ＩＦ周波数の信号及び第１ＩＦ相互変調波信号として第１中間周波ＢＰＦ１ｋに出力する。
第１局部発振器１ｊは、ＩＦ周波数変換用の第１局部信号を生成し、第１ミキサ１ｉに出力する。なお、この第１局部発振器１ｊは、制御部５の制御に基づいて第１局部信号の周波数を制御する。
第１中間周波ＢＰＦ１ｋは、第１ＩＦ受信信号、第１ＩＦ周波数の信号及び第１ＩＦ相互変調波信号からＲＦ受信信号Ｆ１の中間周波信号である第１中間周波数ｉｆ１のＩＦ受信信号ＩＦ１以外の周波数の信号を減衰し、ＩＦ受信信号ＩＦ１を第１電圧レベル検出部１ｌ及び復調処理部１ｑに出力する。
第１電圧レベル検出部１ｌは、ＩＦ受信信号ＩＦ１の電圧レベルを検出し、ＩＦ受信信号ＩＦ１の電圧レベルを示す第１電圧レベル検出信号を制御部５に出力する。
【００１７】
第２ミキサ１ｍは、増幅器１ｈから入力されたＲＦ受信信号、周波数ｆ３の信号及び相互変調波信号に、第２局部発振器１ｎから入力された第２局部信号をミキシングすることで、ＲＦ受信信号、周波数ｆ３の信号及び相互変調波信号をＩＦ周波数へ周波数変換（ダウンコンバート）し、第２ＩＦ受信信号、第２ＩＦ周波数の信号及び第２ＩＦ相互変調波信号として第１中間周波ＢＰＦ１ｋに出力する。
第２局部発振器１ｎは、ＩＦ周波数変換用の第２局部信号を生成し、第２ミキサ１ｍに出力する。なお、この第２局部発振器１ｎは、制御部５の制御に基づいて第２局部信号の周波数を制御する。
第２中間周波ＢＰＦ１ｏは、第２ＩＦ受信信号、第２ＩＦ周波数の信号及び第２ＩＦ相互変調波信号からＲＦ受信信号Ｆ２の中間周波信号である第２中間周波数ｉｆ２のＩＦ受信信号ＩＦ２以外の周波数の信号を減衰し、ＩＦ受信信号ＩＦ２を第１電圧レベル検出部１ｌ及び復調処理部１ｑに出力する。
第２電圧レベル検出部１ｐは、ＩＦ受信信号ＩＦ２の電圧レベルを検出し、ＩＦ受信信号ＩＦ２の電圧レベルを示す第２電圧レベル検出信号を制御部５に出力する。
【００１８】
復調処理部１ｑは、第１中間周波ＢＰＦ１ｊから入力されたＩＦ受信信号ＩＦ１にＡ／Ｄ変換及びデジタル復調等の処理を施し、ベースバンド信号として制御部５に出力する。また、復調処理部１ｑは、第２中間周波ＢＰＦ１ｎから入力されたＩＦ受信信号ＩＦ２にもＩＦ受信信号ＩＦ１と同様の処理を施し、ベースバンド信号として制御部５に出力する。
送信回路部２ａは、制御部５の制御の下、アンテナ１ａに送信信号を出力する。
操作部３、電源キー、テンキー、各種ファンクションキー等の各種操作キーから構成されており、これらの操作キーに対するユーザの操作指示を制御部５に出力する。
表示部４は、例えば液晶モニタまたは有機ＥＬモニタ等であり、制御部５から入力される信号に基づいて画像や文字からなる各種画面を表示する。
【００１９】
制御部５は、ＣＰＵ（Central Processing Unit）、ＲＯＭ（Read Only Memory）及びＲＡＭ（Random Access Memory）から構成される内部メモリ並びに上記受信部１、送信部２、操作部３及び表示部と信号の入出力をそれぞれ行うインタフェース回路等から構成されており、上記ＲＯＭに記憶された制御プログラム、受信部１が受信する信号、操作部３が受け付ける操作指示に基づいてＰＨＳ端末Ａの全体動作を制御する。なお、ＲＯＭに記憶されている制御プログラムは、電圧レベル減衰プログラムを備えており、制御部５はこの電圧レベル減衰プログラムに基づいての電圧レベル減衰処理を実行する。なお、制御部５が実行する電圧レベル減衰処理の詳細については、以下にＰＨＳ端末Ａの動作として説明する。                                                                      
【００２０】
次に、上記構成のＰＨＳ端末Ａの動作について、図３を参照して詳しく説明する。図３は、本実施形態に係るＰＨＳ端末Ａの動作を示すフローチャートである。
制御部５は、初期設定として可変ＡＴＴ１ｄの減衰量を「最小」に設定し、第１局部発振器１ｊが出力する第１局部信号の周波数を「（第１高周波数ｆ１）−（第１中間周波数ｉｆ１）」と設定し、第２局部発振器が出力する第２局部発信号の周波数を「（第２高周波数ｆ２）−（第２中間周波数ｉｆ２）」と設定し、相互変調発振器１ｇに周波数ｆ３の信号を「出力しない状態」に設定し、ＲＡＭに飽和ステータスフラグ格納領域を設け、この飽和ステータスフラグ格納領域に「２進数００」を設定する（ステップＳ１）。
【００２１】
この飽和ステータスフラグ格納領域は、「２進数００」を設定している場合はＩＦ受信信号ＩＦ１及びＩＦ受信信号ＩＦ２の電圧レベルが受信部１を飽和するレベル未満であることを示し、「２進数０１」を設定している場合はＩＦ受信信号ＩＦ１の電圧レベルが受信部１を飽和するレベル以上である示し、「２進数１０」を設定している場合はＩＦ受信信号ＩＦ２の電圧レベルが受信部１を飽和するレベル以上であることを示し、「２進数１１」を設定している場合はＩＦ受信信号ＩＦ１及びＩＦ受信信号ＩＦ２の電圧レベルが受信部１を飽和するレベル以上であることを示す。
【００２２】
制御部５は、受信部１によるＲＦ受信信号の受信によって第１電圧レベル検出部１ｌから入力される第１電圧レベル検出信号に基づいてＩＦ受信信号ＩＦ１の電圧レベルが受信部１を飽和するレベルに以上であるか否か判定し（ステップＳ２）、ステップＳ２において『ＹＥＳ』と判定した場合には、すなわちＩＦ受信信号ＩＦ１の電圧レベルが受信部１を飽和するレベル以上であると判定した場合には、飽和ステータスフラグ格納領域の値と「２進数０１」の論理和をステータスフラグ格納領域に設定し（ステップＳ３）、第２電圧レベル検出信号に基づいてＩＦ受信信号ＩＦ２の電圧レベルが受信部１を飽和するレベル以上であるか否か判定を行う（ステップＳ４）。制御部５は、ステップＳ２において『ＮＯ』と判定した場合には、すなわちＩＦ受信信号ＩＦ１の電圧レベルが受信部１を飽和するレベル未満であると判定した場合には、ステップＳ３を実行せずにステップＳ４を実行する。
【００２３】
制御部５は、ステップＳ４において『ＹＥＳ』と判定した場合には、すなわちＩＦ受信信号ＩＦ２の電圧レベルが受信部１を飽和するレベル以上にあると判定した場合には、ステータスフラグ格納領域の値と「２進数１０」の論理和をステータスフラグ格納領域に設定し（ステップＳ５）、ステータスフラグ格納領域の値が「２進数００」であるか否か判定する（ステップＳ６）。制御部５は、ステップＳ４において『ＮＯ』と判定した場合には、すなわちＩＦ受信信号ＩＦ２の電圧レベルが受信部１を飽和するレベル未満であると判定した場合には、ステップＳ５を実行せずにステップＳ６を実行する。
【００２４】
制御部５は、ステップＳ６において『ＹＥＳ』と判定する場合には、すなわちステータスフラグ格納領域の値が「２進数００」である場合には、動作を終了し、ステップＳ６において『ＮＯ』と判定する場合には、すなわちステータスフラグ格納領域の値が「２進数００」ではない場合には、ステータスフラグ格納領域の値が「２進数０１」であるか否か判定する（ステップＳ７）。制御部５は、ステップＳ７において『ＹＥＳ』と判定する場合には、すなわちステータスフラグ格納領域の値が「２進数０１」である場合には、第１電圧レベル減衰処理を実行し（ステップＳ８）、ステップＳ７において『ＮＯ』と判定した場合には、すなわちステータスフラグ格納領域の値が「２進数０１」ではない場合には、ステータスフラグ格納領域の値が「２進数１０」であるか否か判定する（ステップＳ９）。制御部５は、ステップＳ９において『ＹＥＳ』と判定した場合には、ステータスフラグ格納領域の値が「２進数１０」である場合には、第２電圧レベル減衰処理を実行し（ステップＳ１０）、ステップＳ９において『ＮＯ』と判定した場合には、すなわちステータスフラグ格納領域の値が「２進数１１」である場合には、第３電圧レベル減衰処理を実行する（ステップＳ１１）。
【００２５】
以下から、図４を参照して、上記ステップＳ８の第１電圧レベル減衰処理の詳細を説明する。図４は、ＩＦ信号ＩＦ１の電圧レベルを減衰する第１電圧レベル減衰処理を示すフローチャートである。
制御部５は、相互変調発振器１ｇに電圧レベルを最大にした周波数ｆ３の信号を加算部１ｆに出力させる（ステップＳ２１）。
加算部１ｆは、ＲＦ受信信号に周波数ｆ３の信号を加算し、増幅器１ｈに出力する。
増幅器１ｈは、加算部１ｆから入力されたＲＦ受信信号と周波数ｆ３の信号から相互変調波信号を発生させ、ＲＦ受信信号、周波数ｆ３の信号及び相互変調波信号を第１ミキサ１ｉ及び第２ミキサへ出力する（ステップＳ２２）。
制御部５は、第１高周波数ｆ１と周波数ｆ３の離調周波数Δｆ１を求め、第１局部発振器１ｊに周波数を「（第１高周波数ｆ１）−（第１中間周波数ｉｆ１）−（離調周波数Δｆ１）」とする第１局部信号を第１ミキサ１ｉに出力させる（ステップＳ２３）。
第１ミキサ１ｉは、ＲＦ受信信号、周波数ｆ３の信号及び相互変調波信号と第１局部信号をミキシングすることにより第１ＩＦ受信信号を生成し、第１中間周波ＢＰＦ１ｋはこの第１ＩＦ受信信号から第１中間周波数ｉｆ１以外の周波数成分を減衰し、ＲＦ受信信号Ｆ１の中間周波信号であるＩＦ受信信号ＩＦ１を取り出す（ステップＳ２４）。
【００２６】
図７を参照し、ステップＳ２２〜ステップＳ２４の処理の詳細な説明をする。
図７は、ＲＦ受信信号Ｆ１、周波数ｆ３の信号、ＲＦ受信信号Ｆ１と周波数ｆ３の信号によって発生する１次相互変調波信号Ｍ１及びＭ２、第１局部信号及びＩＦ受信信号ＩＦ１の関係性を示す模式図である。
ステップＳ２２において、図７に示すようにＲＦ受信信号に含まれる第１高周波数ｆ１のＲＦ受信信号Ｆ１と周波数ｆ３の信号によって相互変調波信号が発生する。なお、図７には、相互変調波信号の中の１次相互変調波信号のみを記載する。１次相互変調波信号として、周波数が「（第１高周波数ｆ１）−（離調周波数Δｆ１）」となる１次相互変調波信号Ｍ１と周波数が「（第１高周波数ｆ１）＋２×（離調周波数Δｆ１）」となる１次相互変調波信号Ｍ２が発生する。
ステップＳ２３において第１局部発振器１ｊから出力される周波数を「（第１高周波数ｆ１）−（第１中間周波数ｉｆ１）−（離調周波数Δｆ１）」とする第１局部信号と１次相互変調波信号Ｍ１「（第１高周波数ｆ１）−（離調周波数Δｆ１）」とを第１ミキサ１ｉがミキシングすることによって、ステップＳ２４において第１中間周波ＢＰＦ１ｋによって取り出される図７に示すＩＦ受信信号ＩＦ１が生成される。
【００２７】
制御部５は、第１電圧レベル検出部１ｌから入力される第１電圧レベル検出信号に基づいてＩＦ受信信号ＩＦ１の電圧レベルが受信部１を飽和するレベル以上であるか否か判定し（ステップＳ２５）、ステップＳ２５おいて『ＮＯ』と判定した場合には、すなわちＩＦ受信信号ＩＦ１の電圧レベルが受信部１を飽和するレベルで未満の場合には、処理を終了し、ステップＳ２５において『ＹＥＳ』と判定した場合には、すなわちＩＦ受信信号ＩＦ１の電圧レベルが受信部１を飽和するレベル以上である場合には、相互変調発振器１ｇが出力する周波数ｆ３の信号の電圧レベルを所定レベル下げ（ステップＳ２６）、ステップＳ２２に移行する。
【００２８】
図８は、第１電圧レベル減衰処理前及び第１電圧レベル減衰処理後のＩＦ受信信号ＩＦ１の電圧レベルを示す模式図である。第１電圧レベル減衰処理では、ＲＦ受信信号Ｆ１より電圧レベルの低い相互変調波からＩＦ受信信号ＩＦ１を生成することによって、図８の（ａ）に示す第１電圧レベル減衰処理前に受信部１飽和レベル以上にあるＩＦ受信信号ＩＦ１の電圧レベルを図８の（ｂ）に示す第１電圧レベル減衰処理後にＩＦ受信信号ＩＦ２の電圧レベルを下げることなくＩＦ受信信号ＩＦ１の電圧レベルを受信部１を飽和するレベル未満にすることが出来る。
【００２９】
以下から、図５を参照して、上記ステップＳ１０の第２電圧レベル減衰処理の詳細を説明する。図５は、ＩＦ信号ＩＦ２の電圧レベルを減衰する第２電圧レベル減衰処理を示すフローチャートである。
ステップＳ３１は上記ステップＳ２１、ステップＳ３２は上記ステップＳ２２と同じ処理である為、説明を省略する。
制御部５は、第２高周波数ｆ２と周波数ｆ３の離調周波数Δｆ２を求め、第２局部発振器１ｎに周波数を「（第２高周波数ｆ２）−（第２中間周波数ｉｆ２）−（離調周波数Δｆ２）」とする第２局部信号を第２ミキサ１ｍに出力させる（ステップＳ３３）。
第２ミキサ１ｍは、ＲＦ受信信号、周波数ｆ３の信号及び相互変調波信号と第２局部信号をミキシングすることにより第２ＩＦ受信信号を生成し、第２中間周波ＢＰＦ１ｏはこの第２ＩＦ受信信号から第２中間周波数ｉｆ２以外の周波数成分を減衰し、ＩＦ受信信号ＩＦ２を取り出す（ステップＳ３４）。
【００３０】
制御部５は、第２電圧レベル検出部１ｐから入力される第２電圧レベル検出信号に基づいてＩＦ受信信号ＩＦ２の電圧レベルが受信部１を飽和するレベル以上であるか否か判定し（ステップＳ３５）、ステップＳ３５おいて『ＮＯ』と判定した場合には、すなわちＩＦ受信信号ＩＦ２の電圧レベルが受信部１を飽和するレベルで未満の場合には、処理を終了し、ステップＳ３５において『ＹＥＳ』と判定した場合には、すなわちＩＦ受信信号ＩＦ２の電圧レベルが受信部１を飽和するレベル以上である場合には、上記ステップＳ２６と同様に相互変調発振器１ｇが出力する周波数ｆ３の信号の電圧レベルを所定レベル下げ（ステップＳ３６）、ステップＳ３２に移行する。
【００３１】
以下から、図６を参照して、上記ステップＳ１１の第３電圧レベル減衰処理の詳細を説明する。図６は、ＩＦ信号ＩＦ１及びＩＦ信号ＩＦ２の電圧レベルを減衰する第３電圧レベル減衰処理を示すフローチャートである。
制御部５は、第１電圧レベル検出信号に基づいてＩＦ受信信号ＩＦ１の電圧レベルが受信部１を飽和するレベル以上であるか否か判定し（ステップＳ４１）、ステップＳ４１において『ＹＥＳ』と判定した場合には、すなわちＩＦ受信信号ＩＦ１の電圧レベルが受信部１を飽和するレベル以上である場合には、可変ＡＴＴ１ｄの減衰量を増大させ（ステップＳ４２）、ステップＳ４１において『ＮＯ』と判定した場合には、すなわちＩＦ受信信号ＩＦ１の電圧レベルが受信部１を飽和するレベル未満である場合には、第２電圧レベル検出信号に基づいてＩＦ受信信号ＩＦ２の電圧レベルが受信部１を飽和するレベル以上であるか否か判定する（ステップＳ４３）。
制御部５は、ステップＳ４３において『ＹＥＳ』と判定した場合には、すなわちＩＦ受信信号ＩＦ２の電圧レベルが受信部１を飽和するレベル以上である場合には、可変ＡＴＴ１ｄの減衰量を増大させ（ステップＳ４４）、ステップＳ４３において『ＮＯ』と判定した場合には、すなわちＩＦ受信信号ＩＦ２の電圧レベルが受信部１を飽和するレベル未満である場合には、処理を終了する。
【００３２】
以上説明したように、ＰＨＳ端末Ａにおいて、制御部５が、ＩＦ受信信号ＩＦ１の電圧レベルまたＩＦ受信信号ＩＦ２の電圧レベルが受信部１の飽和レベルより高い場合に、相互変調発振器１ｇに周波数ｆ３の信号を加算部１ｆに出力させ、ＩＦ受信信号ＩＦ１の電圧レベルが受信部１の飽和レベルより高い場合には、相互変調波信号へ周波数を制御させた第１局部信号を第１ミキサ１ｉにミキシングさせることによって第１ＩＦ受信信号を生成させ、またＩＦ受信信号ＩＦ２の電圧レベルが受信部１の飽和レベルより高い場合には、相互変調波へ周波数を制御させた第２局部信号を第２ミキサ１ｍにミキシングさせることにより第２ＩＦ受信信号を生成する。このことにより、第１ＩＦ受信信号から取り出されるＩＦ受信信号ＩＦ１及び第２ＩＦ受信信号から取り出されるＩＦ受信信号ＩＦ２の電圧レベルは、受信した基本波より電圧レベルの低い相互変調波信号の電圧レベルに依存した電圧レベルとなる為、周波数が近接する信号に対して個別に電圧レベルを減衰させることが出来る。
【００３３】
以上、本発明の一実施形態について説明したが、本発明は上記実施形態に限定されることなく、例えば以下のような変形が考えられる。
（１）上記実施形態では、相互変調発振器１ｇが出力する周波数ｆ３の信号の電圧レベルを低減させることにより、ＩＦ受信信号ＩＦ１またはＩＦ受信信号ＩＦ２の電圧レベルを減衰したが、本発明はこれに限定されない。
周波数ｆ３の信号の電圧レベルを低減させる代わりに、第１局部発振器１ｊから出力される第１局部信号及び第２局部発振器１ｎから出力される第２局部信号の電圧レベルを低減することによってＩＦ受信信号ＩＦ１またはＩＦ受信信号ＩＦ２の電圧レベルを減衰させてもよい。
【図面の簡単な説明】
【００３４】
【図１】本発明の一実施形態に係るＰＨＳ端末Ａを備える無線通信システムを示す概略構成図である。
【図２】本発明の一実施形態に係る実施形態に係るＰＨＳ端末Ａの機能構成を示す機能ブロック図である。
【図３】本発明の一実施形態に係るＰＨＳ端末Ａの動作を示すフローチャートである。
【図４】本発明の一実施形態に係るＰＨＳ端末ＡのＩＦ信号ＩＦ１の電圧レベルを減衰する第１電圧レベル減衰処理を示すフローチャートである。
【図５】本発明の一実施形態に係るＰＨＳ端末ＡのＩＦ信号ＩＦ２の電圧レベルを減衰する第２電圧レベル減衰処理を示すフローチャートである。
【図６】本発明の一実施形態に係るＰＨＳ端末ＡのＩＦ信号ＩＦ１及びＩＦ信号ＩＦ２の電圧レベルを減衰する第３電圧レベル減衰処理を示すフローチャートである。
【図７】本発明の一実施形態に係るＰＨＳ端末ＡのＲＦ受信信号Ｆ１、周波数ｆ３の信号、ＲＦ受信信号Ｆ１と周波数ｆ３の信号によって発生する１次相互変調波信号Ｍ１及びＭ２、第１局部信号及びＩＦ受信信号ＩＦ１の関係性を示す模式図である。
【図８】本発明の一実施形態に係るＰＨＳ端末Ａにおける第１電圧レベル減衰処理前及び第１電圧レベル減衰処理後のＩＦ受信信号ＩＦ１の電圧レベルを示す模式図である
【符号の説明】
【００３５】
Ａ…ＰＨＳ端末、Ｂ１，Ｂ２…基地局、１…受信部、１ａ…アンテナ、１ｂ…第１ＢＰＦ、１ｃ…ＬＮＡ、１ｄ…可変ＡＴＴ、１ｅ…第２ＢＰＦ、１ｆ…電力合成部、１ｇ…相互変調発振器、１ｈ…増幅器、１ｉ…第１ミキサ、１ｊ…第１局部発振器、１ｋ…第１中間周波ＢＰＦ、１ｌ…第１電圧レベル検出部、１ｍ…第２ミキサ、１ｎ…第２局部発振器、１ｏ…第２中間周波ＢＰＦ、１ｐ…第２電圧レベル検出部、１ｑ…復調処理部、２…送信部、２ａ…送信回路部、３…操作部、４…表示部、５…制御部
【図１】
0004764409.tif 000002
【図２】
0004764409.tif 000003
【図３】
0004764409.tif 000004
【図４】
0004764409.tif 000005
【図５】
0004764409.tif 000006
【図６】
0004764409.tif 000007
【図７】
0004764409.tif 000008
【図８】
0004764409.tif 000009